【手続補正書】
【提出日】平成21年7月17日(2009.7.17)
【手続補正１】
【補正対象書類名】特許請求の範囲
【補正対象項目名】全文
【補正方法】変更
【補正の内容】
【特許請求の範囲】
【請求項１】
メカニカルシャッター及び電子シャッターを併用して撮像動作を行う撮像装置において、
自身の状態を判別する状態判別手段と、
前記状態判別手段の出力により、撮像素子の行毎に順次、電荷蓄積開始走査を行う走査手段の走査パターンを設定する走査パターン設定手段と、
前記状態判別手段の出力により、前記走査手段の走査パターンを前記走査パターン設定手段が設定した走査パターンに変更するまでに要する回数を異ならせる選択手段と、
を備えることを特徴とする撮像装置。
【請求項２】
前記選択手段は、前記走査手段の走査パターンを直ちに前記走査パターン設定手段が設定した走査パターンに変更する第一の走査パターン変更手段と、前記走査手段の走査パターンを前記走査パターン設定手段が設定した走査パターンに段階的に変更する第二の走査パターン変更手段を有し、前記状態判別手段の出力により、前記第一の走査パターン変更手段又は前記第二の走査パターン変更手段のいずれかを選択することを特徴とする請求項１記載の撮像装置。
【請求項３】
前記第一の走査パターン変更手段は、前記走査パターン設定手段が設定した走査パターンへの変更の度合によらず、前記走査手段の走査パターンを直ちに前記走査パターン設定手段が設定した走査パターンに変更し、
前記第二の走査パターン変更手段は、前記走査パターン設定手段が設定した走査パターンへの変更の度合が所定値を超えた場合は、前記走査手段の走査パターンを前記走査パターン設定手段が設定した走査パターンに段階的に変更し、前記走査パターン設定手段が設定した走査パターンへの変更の度合が所定値を超えない場合は、前記走査手段の走査パターンを直ちに前記走査パターン設定手段が設定した走査パターンに変更することを特徴とする請求項２記載の撮像装置。
【請求項４】
前記状態判別手段は、累積作動回数を判別し、前記選択手段は、前記累積作動回数の情報に基づいて設定された走査パターンに変更する場合は、前記第二の走査パターン変更手段を選択することを特徴とする請求項２又は３記載の撮像装置。
【請求項５】
前記状態判別手段は、撮像装置自身の姿勢を判別し、前記選択手段は、前記撮像装置自身の姿勢の変化に基づいて設定された走査パターンに変更する場合は、前記第一の走査パターン変更手段を選択することを特徴とする請求項２又は３記載の撮像装置。
【請求項６】
前記状態判別手段は、撮像装置自身の温度を判別し、前記選択手段は、前記撮像装置自身の温度に基づいて設定された走査パターンに変更する場合には、前記第二の走査パターン変更手段を選択することを特徴とする請求項２又は３記載の撮像装置。
【請求項７】
前記状態判別手段は、装着されたレンズを判別し、前記選択手段は、前記装着されたレンズに基づいて設定された走査パターンに変更する場合には、前記第一の走査パターン変更手段を選択することを特徴とする請求項２又は３記載の撮像装置。
【請求項８】
前記選択手段は、前記走査手段の走査パターンの変更が異なるシーンで行われる場合は、前記第一の走査パターン変更手段を選択し、電子先幕のリセット走査の走査パターンの変更が同一シーンで行われる場合は、前記第二の走査パターン変更手段を選択することを特徴とする請求項２又は３記載の撮像装置。
【請求項９】
メカニカルシャッター及び電子シャッターを併用して撮像動作を行う撮像方法において、
自身の状態を判別する状態判別ステップと、
前記状態判別ステップの出力により、撮像素子の行毎に順次、電荷蓄積開始走査を行う走査手段の走査パターンを設定する走査パターン設定ステップと、
前記状態判別ステップでの判別の結果により、前記走査手段の走査パターンを前記走査パターン設定ステップにて設定した走査パターンに変更するまでに要する回数を異ならせる選択ステップと、
を備えることを特徴とする撮像方法。
【請求項１０】
前記選択ステップは、前記走査手段の走査パターンを直ちに前記走査パターン設定ステップが設定した走査パターンに変更する第一の走査パターン変更ステップと、前記走査手段の走査パターンを前記走査パターン設定ステップが設定した走査パターンに段階的に変更する第二の走査パターン変更ステップを有し、前記状態判別ステップの判別の結果により、前記第一の走査パターン変更ステップ又は前記第二の走査パターン変更ステップのいずれかを選択することを特徴とする請求項９記載の撮像方法。
【請求項１１】
メカニカルシャッター及び電子シャッターを併用して撮像動作を行う撮像方法をコンピュータに実行させるプログラムにおいて、
前記撮像方法は、
自身の状態を判別する状態判別ステップと、
前記状態判別ステップの出力により、撮像素子の行毎に順次、電荷蓄積開始走査を行う走査手段の走査パターンを設定する走査パターン設定ステップと、
前記状態判別ステップでの判別の結果により、前記走査手段の走査パターンを前記走査パターン設定ステップにて設定した走査パターンに変更するまでに要する回数を異ならせる選択ステップと、
を備えることを特徴とするプログラム。
【請求項１２】
請求項１１記載のプログラムを格納することを特徴とするコンピュータで読み取り可能な記憶媒体。
【手続補正２】
【補正対象書類名】明細書
【補正対象項目名】０００８
【補正方法】変更
【補正の内容】
【０００８】
これに対し、撮像装置の状態が変化したことを検知した場合に、電子シャッターの走行特性とメカニカルシャッターの走行特性の差分を補償するために、電子シャッターの走行特性を補正することが考えられる。撮像装置が横向きか縦向きかという撮像装置の姿勢の変化を検知したのであれば、メカニカルシャッターに作用する重力の向きを考慮して、その変化を相殺するように電子シャッターの走行特性を補正すればよい。姿勢の変化を検知する度にこの補正を行えば、姿勢による露出誤差が生じない撮像装置を提供することができる。
【手続補正３】
【補正対象書類名】明細書
【補正対象項目名】０００９
【補正方法】変更
【補正の内容】
【０００９】
しかしながら、撮像装置の状態が変化したからといって、必ずしも、その変化を相殺するための補正を行わないほうが好ましい場合もある。
【手続補正４】
【補正対象書類名】明細書
【補正対象項目名】００１５
【補正方法】変更
【補正の内容】
【００１５】
請求項９記載の撮像方法は、メカニカルシャッター及び電子シャッターを併用して撮像動作を行う撮像方法において、自身の状態を判別する状態判別ステップと、前記状態判別ステップの出力により、撮像素子の行毎に順次、電荷蓄積開始走査を行う走査手段の走査パターンを設定する走査パターン設定ステップと、前記状態判別ステップでの判別の結果により、前記走査手段の走査パターンを前記走査パターン設定ステップにて設定した走査パターンに変更するまでに要する回数を異ならせる選択ステップとを備えることを特徴とする。
【手続補正５】
【補正対象書類名】明細書
【補正対象項目名】００１６
【補正方法】変更
【補正の内容】
【００１６】
請求項１１記載のプログラムは、メカニカルシャッター及び電子シャッターを併用して撮像動作を行う撮像方法をコンピュータに実行させるプログラムにおいて、前記撮像方法は、自身の状態を判別する状態判別ステップと、前記状態判別ステップの出力により、撮像素子の行毎に順次、電荷蓄積開始走査を行う走査手段の走査パターンを設定する走査パターン設定ステップと、前記状態判別ステップでの判別の結果により、前記走査手段の走査パターンを前記走査パターン設定ステップにて設定した走査パターンに変更するまでに要する回数を異ならせる選択ステップと、を備えることを特徴とする。
【手続補正６】
【補正対象書類名】明細書
【補正対象項目名】００１７
【補正方法】変更
【補正の内容】
【００１７】
請求項１２記載のコンピュータで読み取り可能な記憶媒体は、請求項１１記載のプログラムを格納することを特徴とする。
【手続補正７】
【補正対象書類名】明細書
【補正対象項目名】００２０
【補正方法】変更
【補正の内容】
【００２０】
図１は、本発明の実施の形態に係る撮像装置のブロック構成を概略的に示す図である。なお、この撮像装置は、メカニカルシャッター及び電子シャッターを併用して撮像動作を行う撮像装置である。
【手続補正８】
【補正対象書類名】明細書
【補正対象項目名】００２６
【補正方法】変更
【補正の内容】
【００２６】
また、撮像素子１０４には、パルス発生回路１０７から走査クロックや所定の制御パルスが供給される。パルス発生回路１０７で発生した走査クロックのうち垂直走査用のクロックは、垂直駆動変調回路１０８によって、クロック周波数が所定の周波数に変調されて、撮像素子１０４に入力される。この垂直駆動変調回路１０８によって電子先幕のリセット走査（電荷蓄積開始走査）の走査パターンが決定される。
【手続補正９】
【補正対象書類名】明細書
【補正対象項目名】００２９
【補正方法】変更
【補正の内容】
【００２９】
状態判別手段１３０は不図示の累積作動回数カウンタ、姿勢検知装置、温度検知装置、等からなり、撮像装置（撮像装置自身）の状態の情報をカメラＣＰＵ１１３に出力する。
【手続補正１０】
【補正対象書類名】明細書
【補正対象項目名】００５７
【補正方法】変更
【補正の内容】
【００５７】
第一の走査パターン変更手段１３２は、撮影時の電子先幕の走査パターンを、走査パターン１４から走査パターン１５に直ちに変更する。第二の走査パターン変更手段１３３は、撮影時の電子先幕の走査パターンを、走査パターン１４、走査パターン２１、走査パターン１５と段階的に変更する。第一の走査パターン変更手段１３２は、走査パターンの変更の幅（度合）によらず、直ちに走査パターン設定手段１３１が設定した走査パターンに変更する。第二の走査パターン変更手段は、走査パターンの変更の幅に上限を有しており、走査パターンの変更の幅がこの上限（所定値）を超えていれば、複数回に分けて走査パターン設定手段１３１が設定した走査パターンに変更する。